(57)【特許請求の範囲】
【請求項１】
楽器またはスピーカを支持する平坦な支持面が形成された支持部を有する支持具であって、
楽器またはスピーカを支持した状態で、前記支持面が水平面に対して傾斜しており、
前記支持部を有する支持部材と、この支持部材に対して別体であるベースプレートと、前記支持部材と前記ベースプレートの間に介在するスペーサとを備え、
前記支持部材とベースプレートの相互に対向する対向二面のうち、少なくとも一方の対向面が曲面を含み、
前記スペーサにより、前記曲面上で前記対向二面の当接位置が変更可能であると共に、前記支持面の傾斜角度が変更可能であることを特徴とする楽器またはスピーカの支持具。
【請求項２】
前記対向二面のうち支持部材側の対向面が、前記支持部に形成されており、
前記支持部の一端が自由端であると共に、前記支持部の他端が、前記スペーサを介して前記ベースプレートに固定された取付部に固定されている請求項１に記載の楽器またはスピーカの支持具。
【請求項３】
前記対向二面のうち支持部側の対向面が曲面を含み、この曲面と支持面との間の距離が自由端に向かって自由端まで漸次小さくなる部位を前記支持部が有する請求項２に記載の楽器またはスピーカの支持具。
【発明の詳細な説明】
【技術分野】
【０００１】
本発明は、楽器またはスピーカの支持具に関する。
【背景技術】
【０００２】
例えばピアノ、オルガン、ハープシコード、マリンバ、ドラムセット、琴、鍵盤ハーモニカ、ギター等の楽器やスピーカは、床や台等に直接設置した場合には、演奏や使用に際して振動の自由度が阻害されることに起因して、これらの楽器類やスピーカから発生する音波振動に歪みを生じるという問題があった。
【０００３】
この問題に対して、本願発明者は、これまでに、これらの楽器類やスピーカ用の支持具を特許文献１，２にて提案している。
【０００４】
特許文献１では、ベースプレートと、このベースプレートの上方で床または台と所定の離間間隔を保持しつつ楽器またはスピーカの支持点を形成する荷重担持部材と、前記支持点に埋め込まれた音質調整部材とで構成された支持具が開示されている。
【０００５】
また、特許文献２では、ベースプレートと、このベースプレートの上方で床または台と所定の離間間隔を保持しつつ楽器またはスピーカの支持点を形成する橋架部と、この橋架部から床または台に向かって延びる円弧状の脚部とを備えた支持具が開示されている。
【先行技術文献】
【特許文献】
【０００６】
【特許文献１】特許第２５９３４０４号公報
【特許文献２】特開平１１−１９４７６０号公報
【発明の概要】
【発明が解決しようとする課題】
【０００７】
ところで、当然であるが、これらの楽器類やスピーカでは、音楽鑑賞という本来の目的から音質は非常に重要であり、音質の調整幅は広いことが望ましい。従って、音質に対する調整方法は多様であることが望まれる。しかしながら、音質の調整は、楽器の場合には、その楽器の内部部品に対して直接行なうしかなく、スピーカの場合には、使用開始後にはアンプでしか音質の調整はできないというのが実情である。
【０００８】
本発明は、上記事情に鑑み、使用者の好みに応じて楽器またはスピーカの音質を調整することを目的とした支持具を提供することを課題とする。
【課題を解決するための手段】
【０００９】
前記課題を解決するための手段として、本発明の楽器またはスピーカの支持具は、楽器またはスピーカを支持する平坦な支持面が形成された支持部を有する支持具であって、楽器またはスピーカを支持した状態で、前記支持面が水平面に対して傾斜しており、前記支持部を有する支持部材と、この支持部材に対して別体であるベースプレートと、前記支持部材と前記ベースプレートの間に介在するスペーサとを備え、前記支持部材とベースプレートの相互に対向する対向二面のうち、少なくとも一方の対向面が曲面を含み、前記スペーサにより、前記曲面上で前記対向二面の当接位置が変更可能であると共に、前記支持面の傾斜角度が変更可能であることを特徴とする。
【００１０】
本構成の支持具であれば、楽器またはスピーカを支持した状態で支持面が傾斜しているので、楽器またはスピーカの荷重に対する反作用として支持面から楽器またはスピーカが受ける力は、水平方向の成分（水平方向分力）を有する。従って、この支持具を使用すれば、楽器またはスピーカが水平方向分力を受けるため、その水平方向の振動の程度が変化する。従って、使用する支持具の支持面の傾斜角度を変更することによって、この水平方向の振動の程度を変更することが可能である。これによって、楽器またはスピーカの音質を変更することができる。すなわち、本構成の支持具を使用すれば、楽器またはスピーカの音質を調整することができる。
【００１１】
また、楽器またはスピーカから床や台に伝わった音は、楽器またはスピーカから空中に放出された音と干渉する等して、音質に悪影響を与える。これに対して、この支持具により楽器またはスピーカの水平方向の振動を小さくすれば、支持面が傾斜していない支持具を使用した場合に比較して、水平方向の振動に起因する音が床や台に伝わることを抑制することができる。また、シンプルな構成でありながら支持面の傾斜角度を変更することができる。また、曲面上でこの対向二面の当接位置を変更することによって支持面の傾斜角度を変更するので、支持面の傾斜角度は連続かつ無段階に変化する。従って、支持面の傾斜角度を微調整することが可能である。
【００１２】
上記の構成において、前記対向二面のうち支持部材側の対向面が、前記支持部に形成されており、前記支持部の一端が自由端であると共に、前記支持部の他端が、前記スペーサを介して前記ベースプレートに固定された取付部に固定されていてもよい。
【００１４】
上記の構成において、前記対向二面のうち支持部側の対向面が曲面を含み、この曲面と支持面との間の距離が自由端に向かって自由端まで漸次小さくなる部位を前記支持部が有してもよい。
【００１５】
この構成の支持具であれば、支持具の支持部における曲面と支持面との間の距離が自由端に向かって自由端まで漸次小さくなる部位では、支持面における荷重が掛かる位置が自由端に近づく程、同一の荷重が掛かった場合でも支持部の弾性変形（しなり）が大きくなる。この支持部の弾性変形の程度によって、楽器やスピーカに発生する特定の周波数の振動が増幅したり、減衰したりする。従って、支持面における荷重が掛かる位置を調整することによっても、音質を変更することが可能である。
【発明の効果】
【００１６】
本発明によれば、使用者の好みに応じて楽器またはスピーカの音質を調整することを目的とした支持具を提供することができる。
【図面の簡単な説明】
【００１７】
【図１】本発明の実施形態に係る楽器またはスピーカの支持具を示す斜視図である。
【図２】本発明の実施形態に係る楽器またはスピーカの支持具を示す図であって、（Ａ）が平面図、（Ｂ）が側面図である。
【図３】本発明の実施形態に係る楽器またはスピーカの支持具の支持部材を示す図であって、（Ａ）が平面図、（Ｂ）が側面図である。
【図４】本発明の実施形態に係る楽器またはスピーカの支持具のベースプレートを示す図であって、（Ａ）が平面図、（Ｂ）が側面図である。
【図５】図２（Ａ）のＸ−Ｘ線断面図である。
【図６】ピアノの脚に取り付けられたキャスタを示す図であって、（Ａ）が最近普及しているキャスタ、（Ｂ）が従来から普及しているキャスタを示す図である。
【図７】本発明の楽器またはスピーカの支持具に支持されていない状態のピアノを示す正面図で、（Ａ）が変形前、（Ｂ）が変形後を示す図である。
【図８】本発明の楽器またはスピーカの支持具に支持された状態のピアノを示す模式図であって、（Ａ）が正面図、（Ｂ）が平面図である。
【図９】本発明の他の実施形態に係る楽器またはスピーカの支持具を示す図であって、（Ａ）が平面図、（Ｂ）が側面図である。
【図１０】図９の楽器またはスピーカの支持具の変形例を示す図であって、（Ａ）が平面図、（Ｂ）が側面図である。
【図１１】図１０の楽器またはスピーカの支持具の使用例を示す平面図である。
【図１２】図１０の楽器またはスピーカの支持具の使用例を示すピアノの正面図である。
【図１３】本発明の他の実施形態に係る楽器またはスピーカの支持具を示す図であって、（Ａ）が平面図、（Ｂ）が側面図である。
【図１４】本発明の楽器またはスピーカの支持具に支持された状態のスピーカを示す模式図であって、（Ａ）が正面図、（Ｂ）が平面図である。
【発明を実施するための形態】
【００１８】
以下、本発明を実施するための形態について図面に基づき説明する。
【００１９】
図１，２に、本発明の実施形態に係る楽器またはスピーカの支持具を示す。本実施形態の支持具１は、特にグランドピアノの脚の支持に好適なものであり、以下の説明では、グランドピアノの脚を支持するものとして説明する。図１，２に示すように、支持具１は、支持部材２と、この支持部材２に対して別体であるベースプレート３とを主要な構成要素として備える。支持部材２は、ベースプレート３に、ボルト４によって取り付けられている。
【００２０】
図３に示すように、支持部材２は、平面視で長方形であり、ピアノの脚を支持するための支持部５と、支持部材２をベースプレート３に取り付けるための取付部６とから構成される。支持部５において、長手方向の一端が自由端５ａで、長手方向の他端が取付部６に固定された固定端５ｂである。支持部材２の下側で、支持部５は取付部６より下側に突出している。
【００２１】
支持部材２の上側は単一の平坦面であるが、支持部５の上側は、ピアノの脚を支持するための支持面５ｃである。支持部５の下側は、曲面５ｄで構成されており、支持部５において、固定端５ｂから自由端５ａに向かって、曲面５ｄと支持面５ｃとの間の距離が漸次大きくなった後、漸次小さくなる。詳述すれば、固定端５ｂから自由端５ａに向かって移行するに従って、曲面５ｄと支持面５ｃとの間の距離が固定端５ｂから途中までは漸次大きくなっていき、途中から自由端５ａまでは漸次小さくなる。つまり、支持部５は、曲面５ｄと支持面５ｃとの間の距離が自由端５ａに向かって自由端５ａまで漸次小さくなる部位を有する。固定端５ｂから曲面５ｄと支持面５ｃとの間の距離が最も大きくなるのは、固定端５ｂと自由端５ａの中央よりやや固定端５ｂ側の位置である。また、支持部５の自由端５ａには、上側に突出したストッパ５ｅが形成されている。取付部６は直方体形状であり、ボルト４を挿通するためのばか穴６ａが形成されている。
【００２２】
支持部材２の上側には、ネジ７によって環状体８が取り付けられている。この環状体８は、支持面５ｃ上で、ピアノの脚を支持する位置を規定するためのものである。つまり、環状体８の内側の支持面５ｃでピアノの脚を支持する。支持具１の設置中等で、ピアノの脚が環状体８の内側に適切に納まらない場合に、支持具１からピアノの脚が脱落することを防止するために上述のストッパ５ｅが設けられている。環状体８の下側には、支持部材２の両側の側面に沿って延在する一対の側板８ａが設けられており、この一対の側板８ａには、支持部材の長手方向に沿って延在する長穴８ｂが同位置に形成されている。支持部材２の側面には、雌ネジ穴が形成されており、側板８ａの長穴８ｂに挿通したネジ７の雄ネジ部が螺合されている。ネジ７の頭部がワッシャを介して側板８ａと当接していおり、これによって、環状体８が固定されている。ネジ７の螺合を緩めれば、側板８ａの長穴８ｂに案内されながら環状体８が支持部材２に対して移動可能となるので、支持部材２に対する環状体８の位置を変更することができる。これにより、支持面５ｃ上でピアノの脚を支持する位置を変更することができる。
【００２３】
支持部材２や環状体８は、本実施形態では、金属製であるが、特にこれに限定されるものでなく、ある程度の剛性があるものであれば、樹脂製、木製等であってもよい。ただし、支持面５ｃは、特に剛性が必要なので、金属で形成されていることが好ましい。
【００２４】
図４に示すように、ベースプレート３は、平面視でイチョウの葉のような形状であり、支持具１の姿勢を床に対して安定させる機能を有する。ベースプレート３は、均一な厚さで上側と下側が平面である平坦部３ａと、この平坦部３ａの上側に形成され、支持部材２の支持部５を位置決めするための一対の位置決め部３ｂと、この一対の位置決め部３ｂの間に形成され、位置決め部３ｂより上側に突出した突出部３ｃとから構成されている。位置決め部３ｂは直方体形状で、その側面が、支持部材２における支持部５の側面と所定の隙間を介して対向する。突出部３ｃは、直方体形状で、その上側が支持部材２の取付部６の下側と対向する部位であり、ボルト穴３ｄが形成されている。
【００２５】
ボルト４は、支持部材２の取付部６のばか穴６ａに挿通し、その雄ねじ部４ａがベースプレート３のボルト穴３ｄに螺合している。支持部材２の上側にワッシャ４ｂを介して当接するボルト４の頭部４ｃと、支持部材２の取付部６とベースプレート３の突出部３ｃとの間に介在するスペーサ９によって、支持部材２がベースプレート３に対して固定されている。しかし、支持具１がピアノの脚を支持した状態では、支持部材２から伝わる負荷は、ボルト４の頭部４ｃの側にかかり、これによって、支持部材２は固定されるので、スペーサ９は必ずしも必要ではない。
【００２６】
図５に示すように、支持部材２の支持部５の曲面５ｄは、ベースプレート３の平坦部３ａの上側面に対して当接位置Ｐにおいて当接する。当接位置Ｐで、支持部５の曲面５ｄは、ベースプレート３の平坦部３ａの上側面に対して幅方向に延在する直線で線接触する。ボルト４のボルト穴３ｄに対する螺合の程度とスペーサ９の厚みを変更することによって、支持部材２の取付部６の高さを変更することができる。支持部材２の取付部６の高さが高くなるのに従って、曲面５ｄの線接触する当接位置Ｐが曲面５ｄ上を支持部５の固定端５ｂ側から自由端５ａ側に移動する。そして、当接位置Ｐが支持部５の固定端５ｂ側から自由端５ａ側に移動するのに従って、支持面５ｃの傾斜角度が急になる。換言すれば、曲面５ｄ上で当接位置Ｐを変更することによって、支持部５の支持面５ｃの傾斜角度を変更することができる。この際、曲面５ｄと平面（平坦部３ａの上側面）とが接触しているため、支持部５の支持面５ｃの傾斜角度は連続かつ無段階に変化する。従って、支持面５ｃの傾斜角度を微調整することができる。これにより、支持部５の支持面５ｃは、水平に対して傾斜角度を例えば０°〜３０°とすることが可能である。なお、図５は、支持面５ｃが傾斜している状態を理解し易いように、図１，２と比較して、傾斜角度を大きくしており、また、曲面５ｄの曲率を大きくしている。
【００２７】
以上の構成の支持具１では、次のような効果が享受できる。
【００２８】
グランドピアノの脚を支持する支持面５ｃが、ピアノの脚を支持した状態で、傾斜している場合には、ピアノの荷重に対する反作用として支持面５ｃからピアノが受ける力は、水平方向の成分（水平方向分力）を有する。従って、この支持具１を使用すれば、ピアノが水平方向分力を受けるため、その水平方向の振動の程度が変化する。従って、使用する支持具１の支持面５ｃの傾斜角度を変更することによって、この水平方向の振動の程度を変更することが可能である。これによって、ピアノの音質を変更することができる。すなわち、支持具１を使用すれば、ピアノの音質を調整することができる。
【００２９】
また、ピアノから床に伝わった音は、ピアノから空中に放出された音と干渉する等して、音質に悪影響を与える。これに対して、支持具１によりピアノの水平方向の振動を小さくすれば、支持面５ｃが傾斜していない支持具を使用した場合に比較して、水平方向の振動に起因する音が床に伝わることを抑制することができる。
【００３０】
なお、発明者の実験によって、ピアノの場合、水平方向の振動は、ピアノから発生する音の特に高周波成分の原因となることが判明した。従って、使用する支持具１の支持面５ｃの傾斜角度を変更することによって、ピアノから発生する音の高周波成分の量を加減することが可能である。
【００３１】
また、図５に示す支持具１の支持部５における曲面５ｄと支持面５ｃとの間の距離が自由端５ａに向かって自由端５ａまで漸次小さくなる部位では、支持面５ｃにおける荷重が掛かる位置が自由端５ａに近づく程、同一の荷重が掛かった場合でも支持部５の弾性変形（しなり）が大きくなる。この支持部５の弾性変形の程度によって、ピアノに発生する特定の周波数の振動が増幅したり、減衰したりする。従って、支持面５ｃにおける荷重が掛かる位置を調整することによっても、音質を変更することが可能である。
【００３２】
音に含まれる高周波が少ないと、音質が軟らかくなり、高周波が多いと、音質は硬くなる。図５において、支持部５における曲面５ｄと支持面５ｃとの間の距離が自由端５ａに向かって自由端５ａまで漸次小さくなる部位では、支持面５ｃにおける荷重が掛かる位置が自由端５ａに近づく程、音質は軟らかくなる。また、図５におけるＰ点の鉛直方向の支持面５ｃでピアノを支持すると、ピアノの音質は硬くなる。支持部５の厚さ（支持部５における曲面５ｄと支持面５ｃとの間の距離）が、厚くなると音質は硬くなり、薄くなると音質は軟らかくなる。また、支持部５の材質が硬いと音質が硬くなり、支持部５の材質が軟らかいと音質が軟らかくなる。
【００３３】
また、支持具１は、支持面５ｃが傾斜しており、ピアノの脚の下端は円形の平面であるので、支持面５ｃでピアノの脚を直接支持する場合には、支持面５ｃがピアノの脚に対して点接触することが多いため、ピアノを不要に拘束することがない。これによって、ピアノから発せられる本来の音を不当に抑制することがない。また、ピアノから余分な音が床に伝わることを抑制することができる。
【００３４】
以上の説明では、グランドピアノの脚に何も取り付けられていないことを前提にしていたが、図６に示すように、グランドピアノＧの脚Ｌには、通常、キャスタ１０，１１が取り付けられている。キャスタ１０，１１を取り外した状態でピアノＧの脚Ｌを直接支持具１で支持してもよいが、ピアノＧの移動の利便性から、キャスタ１０，１１を取り付けた状態のまま支持することが好ましい。
【００３５】
図６（Ａ）に示すキャスタ１０は、最近普及しているもので、ピアノＧの脚Ｌに対して枢軸１０ａを嵌めこむことによって、回転自在に取り付けられている。枢軸１０ａが形成されている逆円錐台形の柱部１０ｂから側方に延在する一対の相互に平行な側板１０ｃの間に、車輪１２が回転自在に取り付けられている。一方、図６（Ｂ）に示すキャスタ１１は、従来から普及しているもので、ピアノＧの脚Ｌに対して枢軸１１ａを嵌めこむことによって回転自在に取り付けられている。枢軸１１ａが形成されている長方形の基板１１ｂから斜め下方に延在する一対の相互に平行な側板１１ｃの間に、車輪１２が回転自在に取り付けられている。何れのキャスタ１０，１１でも、ピアノＧの脚Ｌの中心軸Ｏに対して、枢軸１０ａ，１０ｂの中心軸は同軸であり、ピアノＧの脚Ｌの中心軸Ｏに対して、平面視で車輪１２の接地位置はずれている。これにより、ピアノＧの移動の際に、キャスタ１０，１１が移動方向に沿った向きになりやすく、ピアノＧの移動が容易となる。
【００３６】
図６（Ａ）に示すキャスタ１０を支持具１で支持する場合には、支持具１の支持面５ｃが柱部１０ｂの下端に当接するように支持具１を設置する。柱部１０ｂの下端も円形の平面なので、支持面５ｃが柱部に対して点接触することが多いため、上述と同様の効果が享受できる。また、図６（Ａ）に二点鎖線で示すように、柱部１０ｂの下端に、下側に突出した凸曲面で構成された外表面を有する当接用部材Ｃを取り付け、この当接用部材Ｃに、支持面５ｃが当接するように支持具１を配置してもよい。この場合には、支持面５ｃは当接用部材Ｃに対して常に点接触するので、上述と同様の効果が安定して享受できる。また、支持面５ｃと当接用部材Ｃとの当接部位に、例えばオイル等の潤滑剤を塗布してもよい。これにより、ピアノＧが振動し易くなるので、音質を変更することができる。
【００３７】
上述した支持具１によってピアノＧの音質を調整する具体例を以下に説明する。図７（Ａ）に示すように、ピアノＧの脚Ｌは、最初は鉛直方向に沿って延在している。ところが、図７（Ａ）に示すように、キャスタ１０，１１の接地部位がピアノＧの脚Ｌの中心軸Ｏに対して外側に位置した場合、キャスタ１０，１１の車輪１２の接地部位がピアノＧの脚Ｌの中心軸に対してずれているため、白矢印で示すように、ピアノＧの脚Ｌをハの字に開くような力が働く。この状態で長期放置されると図７（Ｂ）に示すように、経年変化によりピアノＧの脚Ｌがハの字となる。この状態になると、ピアノＧは水平方向に振動し難くなり、これにより、ピアノＧの音質は本来とは異なるようになる。
【００３８】
この問題に対して、図８（Ａ）に示すように、ピアノＧの脚Ｌをハの字に開くような力とは反対方向に、水平分力がピアノＧの脚Ｌに付与されるように各脚Ｌに本実施形態の支持具１を設置すれば、ピアノＧの脚Ｌが鉛直方向に沿って延在するようになり、これにより音質が調整され、ピアノＧの音質が本来のものに近くなる。なお、図８では、支持具１を模式的に示している。
【００３９】
図７や図８（Ａ）では理解し易いように、ピアノＧの脚Ｌを２本だけ表示し、単純にハの字に開く場合を説明したが、実際には、図８（Ｂ）に示すように、グランドピアノＧの脚Ｌは３本である。そのため、ピアノＧの脚Ｌに働く力は複雑となるので、望む音質が得られるように、各脚Ｌを支持する支持具１の配置の方向や、支持具１の支持面５ｃの傾斜角度を微調整する必要がある。
【００４０】
本実施形態の支持具１に特有の効果であるピアノＧに対する水平分力は、支持具１の支持面５ｃが傾斜している場合に発生するが、この水平分力の調節の一環として、水平分力が無い状態、すなわち、支持面５ｃの傾斜角度を０°の状態（支持面５ｃが水平状態）として支持具１を使用してもよいのは勿論のことである。
【００４１】
上記実施形態では、支持具１の支持面５ｃの傾斜角度が変更可能となっていたが、本発明は、これに限定されず、支持具１の支持面５ｃの傾斜角度が固定であってもよい。このような支持面５ｃの傾斜角度が固定である支持具１の一例を図９に示す。この支持具１は、支持部材２と、この支持部材２が固定されたベースプレート３とを主要な構成要素とする。
【００４２】
支持部材２は、その基端がベースプレート３に固定されており略円弧状に上側に延在する円弧部２ａと、円弧部２ａの先端から斜め下方に延在する支持部５と、支持部５の先端から斜め下方に延在して先端が円弧部２ａに当接して支持部５の強度を補強する補強部２ｂとから構成される。支持部５の上側に平坦な支持面５ｃが形成されており、支持面５ｃは水平に対して角度θで傾斜している。角度θは例えば１°〜５°である。ベースプレート３は、円板状であり、支持具１の姿勢を床に対して安定させる機能を有する。支持部材２は、例えば短冊状の金属片を屈曲させて形成し、例えば金属製のベースプレート３に溶接等によって固定される。この支持具１では、支持面５ｃに荷重が掛かった場合には、円弧部２ａが弾性変形するので、楽器やスピーカの上下方向の振動を妨げ難いという特性を有する。また、上記実施形態の支持具１に比較して、簡単な構成なので、製造コストを抑制することができる。
【００４３】
この支持具１は、例えば、図６（Ｂ）に示すキャスタ１１を取り付けたピアノＧを支持するのに好適である。この場合、図６（Ｂ）に二点鎖線で示すように、支持面５ｃを、キャスタ１１の基板１１ｂの下端面と側面の間の角に当接させる。キャスタ１１の基板１１ｂは長方形なので、支持面５ｃは、キャスタ１１の基板１１ｂに対して線接触する。これにより、上述した支持具１の支持面５ｃがピアノＧの脚Ｌに対して点接触する場合と同様の効果が享受できる。なお、ピアノＧの脚Ｌにキャスタ１０，１１が取り付けられている場合に、車輪１２を支持具１の支持面５ｃで支持することはしない。これは、車輪１２を支持具１で支持すると、平面視でピアノＧの脚Ｌの中心軸Ｏに対して車輪１２の支持面５ｃとの接触部位がずれているために、脚Ｌにハの字に広げる力等が働いたり、車輪１２が予期せぬ挙動を取ったりする可能性があるからである。
【００４４】
図９に例示した支持具１の変形例を図１０に示す。図１０に例示した支持具１では、図９の支持具１における支持部材２の円弧部２ａが、そのベースプレート３に固定されている固定端から、更に連続して円弧状に上側に延在したものになっている。そして、この支持具１は、図９の支持具１の支持部５とは反対側（図のＢ側）に、円弧部２ａの先端から斜め下方に延在する支持部５と、この支持部５の先端から下方に延在して先端がベースプレート３に当接して支持部５の強度を補強する補強部２ｂとを有する。このＢ側の支持部５の上側にも平坦な支持面５ｃが形成されており、支持面５ｃは水平に対して角度θで傾斜している。この角度θも例えば１°〜５°である。この支持具１では、異なる高さの支持面５ｃが２つあるため、１つの支持具１での支持の態様を多様化できる。勿論Ａ側とＢ側で傾斜角度θを異ならせてもよい。
【００４５】
図１０の支持具１は、例えば図１１に示すように、３つで、そのＢ側の支持面５ｃでピアノやスピーカを支持する。この場合に、各支持具１は、相互にワイヤＷ等の線材で縛ることによって拘束されていることが好ましい。これにより、地震等の揺れによって支持具１が支持対象から外れることを抑制することができる。また、ワイヤＷ等の線材の張力により、音質を変更させることができる。この場合に、各支持具１において、例えば図１０（Ｂ）に点線で示すように、ワイヤＷ等の線材を、円弧部２ａのベースプレート３に対する固定部に係合させれば、安定して各支持具１を相互に固定することができる。
【００４６】
図１０の支持具１によって図７（Ｂ）に示した脚Ｌがハの字に変形したピアノＧを支持した状態を図１２に示す。支持具１のＢ側の支持面５ｃと脚Ｌの中心線がなす角度（支持具１の支持角度）は、左側のαが鈍角で、右側のβが９０°である。また、図１２でピアノＧの左側は低音を発生する部分であり、ピアノＧの右側は高音を発生する部分である。
【００４７】
支持具１の支持角度が変化すると、支持具１の高周波を抑制する効果が変化する。例えば図に示すように、支持角度αが鈍角であれば、支持具１の高周波を抑制する効果が大きい。従って、音がより軟らかくなる。一方、図に示すように、支持角度βが９０°であれば、高周波を抑制する効果は少なくなる。従って、音がより硬くなる。支持角度が９０°であって、図６に二点鎖線で示したように支持面５ｃが支持対象に対して点接触や線接触する場合には、高周波を抑制する効果は更に少なくなる。そして、この場合に、オイル等の潤滑剤を支持面５ｃの接触線や接触点に塗布すると、高周波を抑制する効果が最小となる。
【００４８】
また、支持角度αが鈍角であれば、音の出が遅れる。一方、支持角度βが９０°であれば、音の出が早い。従って、取り付け方で低音の音の出と高音の音の出との間に時間差が生じる。これにより、低音の音と高音の音とが分離され、それぞれの音が認識され易くなる。支持角度αの角度が大きくなるほど、音の出が遅くなり、取り付け方で低音の音と高音の音との分離の程度が大きくなる。つまり、支持角度αによって、低音の音と高音の音との分離の程度は変化する。
【００４９】
また、図１２に示すように、ピアノＧのキャスタ１０は、その車輪１２が支持具１の円弧部２ａに隙間を介して嵌合するように、支持具１に載置されている。これにより、地震等の揺れが生じた時、車輪１２と円弧部２ａとが干渉することにより、キャスタ１０が支持具１に対してずれることを抑制することができる。
【００５０】
更に、支持面５ｃの傾斜角度が固定である支持具１の一例を図１３に示す。この支持具１も、支持部材２と、この支持部材２が固定されたベースプレート３とを主要な構成要素とする。この支持具１では、支持部材２は、基端がベースプレート３に固定された略円弧状に延在する２つの円弧部２ａと、その先端を連結する支持部５から構成される。２つの円弧部２ａの曲率は相互に異なる。支持部５の上側に平坦な支持面５ｃが形成されており、支持面５ｃは水平に対して角度θで傾斜している。この角度θは例えば１°〜３°である。
【００５１】
図９，１０，１３に示した支持面５ｃの傾斜角度が固定された支持具１は、例えば、図１４に示すように、スピーカＳを支持するのに好適である。なお、図１４では、支持具１を模式的に示している。この場合、図１４（Ｂ）に実線で示すように、スピーカＳにおける長方形状の下端面の各辺に支持具１を配置してもよいし、二点鎖線で示すように、スピーカＳの下端面の各角に支持具１を配置してもよい。いずれの場合も、支持面５ｃによる水平分力が平面視でのスピーカＳの中央に向かうように、支持具１を配置している。この配置では、スピーカＳの水平方向の振動が少なくなる。なお、支持具１をスピーカＳの下端面の各辺に配置した場合は、支持面５ｃは各辺に対して線接触し、各角に配置した場合には、支持面５ｃは各角に対して点接触する。なお、スピーカＳに対しては、少なくとも３つ以上の支持具１で支持することが好ましい。
【００５２】
スピーカＳは、アンプで音質を変えることができるが、上述のように、支持具１によれば、スピーカＳの下部を傾斜した支持面５ｃで支持することで音質の違いを作ることができる。また、図１４に示すように、支持具１をワイヤＷ等の線材で縛ることで相互に拘束すれば、地震等の揺れでスピーカＳから支持具１が外れることを防止できる。また、ワイヤＷ等の線材の張力を調整することによって、スピーカＳの音質を連続かつ無段階に変化させることができる。
【００５３】
図８，１１，１４で説明したように、本発明の支持具１は、複数で使用することが通常であるが、その一部を、本発明以外の支持具、すなわち傾斜していない支持面を有する支持具としてもよい。
【００５４】
本発明は上記実施形態に限定されることなく、その技術的思想の範囲内であれば、様々な変形が可能である。例えば、上記実施形態では、支持具１は、グランドピアノＧとスピーカＳに使用していたが、その他の楽器、例えばアップライトピアノ、オルガン、ハープシコード、マリンバ、ドラムセット、琴、鍵盤ハーモニカ、ギター等に使用してもよい。
【符号の説明】
【００５５】
１    支持具
２    支持部材
３    ベースプレート
４    ボルト
５    支持部
５ａ  自由端
５ｂ  固定端
５ｃ  支持面
５ｄ  曲面
Ｇ    グランドピアノ
Ｐ    当接位置
Ｓ    スピーカ
【図１】
0005851174.tif 000002
【図２】
0005851174.tif 000003
【図３】
0005851174.tif 000004
【図４】
0005851174.tif 000005
【図５】
0005851174.tif 000006
【図６】
0005851174.tif 000007
【図７】
0005851174.tif 000008
【図８】
0005851174.tif 000009
【図９】
0005851174.tif 000010
【図１０】
0005851174.tif 000011
【図１１】
0005851174.tif 000012
【図１２】
0005851174.tif 000013
【図１３】
0005851174.tif 000014
【図１４】
0005851174.tif 000015